(57)【要約】      （修正有）【課題】重たい荷物を持つ掌を簡単な構成で保護するとともに、利便性、経済性、サービス性を豊かに解決するカード型把手を提供する。【解決手段】硬質の素材で形成された矩形状のカード基材１０と、カード基材１０の長手方向又はこれと直交する方向に沿って平行に、カード基材１０の表面及び／又は裏面に形成された一対の折曲溝３，３と、一対の折曲溝３，３に沿ってカード基材１０を折り曲げることにより、カード基材１０の中央部に形成される把持片１１と、一対の折曲溝３，３に沿ってカード基材１０を折り曲げることにより、把持片１１の両翼に形成される一対の折曲部１２，１２とから構成されている。【選択図】図１
0003206793.tif 000002
【実用新案登録請求の範囲】
【請求項１】
硬質の素材で形成された矩形状のカード基材と、
前記カード基材の長手方向又はこれと直交する方向に沿って平行に、前記カード基材の表面及び／又は裏面に形成された一対の折曲溝と、
前記一対の折曲溝に沿って前記カード基材を折り曲げることにより、前記カード基材の中央部に形成される把持片と、
前記一対の折曲溝に沿って前記カード基材を折り曲げることにより、前記把持片の両翼に形成される一対の折曲部と
からなるカード型把手。
【請求項２】
前記一対の折曲溝は、その間隔が異なる複数組が形成されていることを特徴とする請求項１に記載のカード型把手。
【請求項３】
前記複数組の折曲溝のうち、最も内側に位置する折曲溝が、前記カード基材内方に向けて凸となるように湾曲されていることを特徴とする請求項２に記載のカード型把手。
【請求項４】
前記折曲部のうちいずれか一方の折曲部において、複数の折曲溝の間に、磁気により情報を記録し保持する記録部が配置されていることを特徴とする請求項２又は３に記載のカード型把手。
【請求項５】
前記把持片には、非接触通信によってデータ通信を行うためのＲＦタグが配置されていることを特徴とする請求項１乃至４のいずれかに記載のカード型把手。
【請求項６】
前記各折曲溝は前記カード基材の表裏に凹状の溝が互いに重ならないように刻設されることにより形成され、この凹状の溝が形成されることにより前記折曲溝において、前記カード基材断面が波状に形成されていることを特徴とする請求項１乃至６のいずれかに記載のカード型把手。
【請求項７】
前記カード基材がポリカーボネイトを含むプラスチック素材で形成されていることを特徴とする請求項１乃至５のいずれかに記載のカード型把手。
【考案の詳細な説明】
【技術分野】
【０００１】
本考案は、紙材やプラスチック、その他の硬質の素材で形成された矩形状のカード基材を備えたカード型把手に関する。
【背景技術】
【０００２】
従来、コンビニやスーパーなどのビニール袋に、牛乳やビールなどの重量の大きい商品を複数入れて運搬するとき、ビニール袋の手紐の幅３〜７ｃｍ程度あるものの、商品の重量と握り癖により手紐がさらに細い紐状になり、そこに重さが集中することから、手紐が掌に食い込み痛くなるという問題があった。
【０００３】
このような問題に対し、例えば、特許文献１に開示された紙製補助把手がある。この特許文献１に開示された紙製補助把手では、紐等を掴むための把持片は中央部に折り目が付けられ、折り目に沿わせて紐等を掴んだときに折り曲げられるようになっており、これにより手にやさしく、重いものであっても苦痛を感じずに容易に持つことができる。
【先行技術文献】
【特許文献】
【０００４】
【特許文献１】特開平１１−３４８１５３号公報
【考案の概要】
【考案が解決しようとする課題】
【０００５】
しかしながら、上述した特許文献１に開示された紙製補助把手では、把持片は中央に単一の折り目が付けられ、その折り目に沿わせて折り曲げるため、把持片を折り曲げたときの形状が鋭角の三角形状となり、この三角形状の頂点が掌に食い込み、荷物の重さによってはやなり掌が痛くなる可能性がある。
【０００６】
そこで、本考案は、上記のような問題を解決するものであり、重たい荷物を持つ掌を簡単な構成で保護するとともに、利便性、経済性、サービス性を豊かに解決できるカード型把手を提供することを目的とする。
【課題を解決するための手段】
【０００７】
上記課題を解決するために、本考案は、硬質の素材で形成された矩形状のカード基材と、前記カード基材の長手方向又はこれと直交する方向に沿って平行に、前記カード基材の表面及び／又は裏面に形成された一対の折曲溝と、前記一対の折曲溝に沿って前記カード基材を折り曲げることにより、前記カード基材の中央部に形成される把持片と、前記一対の折曲溝に沿って前記カード基材を折り曲げることにより、前記把持片の両翼に形成される一対の折曲部とからなるカード型把手である。
【０００８】
このような本考案のカード型把手によれば、カードの長手方向又はこれと直交する方向に一対の折曲溝を入れておき、使用時にはカードの折曲溝に従い、中央部及び両翼の折曲部が形成されるように、コの字形状に折り曲げる。この中央部及び折曲部の３面を、重量物を入れたビニール袋の手紐部分にあてがって装着し、手に受け伝わる荷重面積を広くすることで、重量の一極集中を分散させて、掌に食い込まないようにすることができる。
【０００９】
上記考案において、前記一対の折曲溝は、その間隔が異なる複数組が形成されていることが好ましい。このように折曲溝を複数組形成し、折り曲げる位置を適宜選択することにより中央部の幅を変化させることができ、様々な形状の荷物、荷重に対応することができる。
【００１０】
上記考案において、前記複数組の折曲溝のうち、最も内側に位置する折曲溝が、前記カード基材内方に向けて凸又は凹となるように湾曲されていることが好ましい。この場合には、カード基材を折り曲げたときに最も掌に当たる部分を滑らか形状とすることができ、掌に伝わる荷重を分散させることができる。
【００１１】
上記考案において、前記折曲部のうちいずれか一方の折曲部において、複数の折曲溝の間に、磁気により情報を記録し保持する記録部を配置することができ、また非接触通信によってデータ通信を行うためのＲＦタグを配置してもよい。この場合には、このカード基材を銀行カードやクレジットカード、その他のＩＣカードと兼用させることができ、従来のカードに、荷物運搬用把手という新しい付加価値を追加でき、利便性、経済性、サービス性を豊かに向上させることができる。
【００１２】
上記考案において、前記各折曲溝は前記カード基材の表裏に凹状の溝が互いに重ならないように刻設されることにより形成され、この凹状の溝が形成されることにより前記折曲溝において、前記カード基材断面が波状に形成されていることが好ましい。この場合には、折曲溝によって容易にカード基材を折り曲げることができる。このとき、前記凹状の溝は、Ｖ字状の溝としてもよく、半弧状又はサインカーブ形状として、折り目が滑らかになるようにしてもよい。
【考案の効果】
【００１３】
以上述べたように、このような本考案のカード型把手によれば、普段は他のクレジットカードやキャッシュカードと一緒に財布の中などにしまっておくことができ、重い荷物を持つ場面となったときに、カードの折曲溝に従いコの字形状に折り曲げ、重量物の手紐部分にあてがって装着する。これにより、手に受け伝わる荷重面積を広くすることで、重量の一極集中を分散させて、掌に食い込まないようにすることができる。
【００１４】
また、本考案のカード型把手に、クレジットカードやキャッシュカード等の磁カードやＩＣカードの機能をそのまま組み込むことができるため、従来のカードに、荷物運搬用把手という新しい付加価値を追加でき、利便性、経済性、サービス性を豊かに向上させることができる。
【図面の簡単な説明】
【００１５】
【図１】（ａ）は、実施形態に係るカード型把手の全体構成を示す上面図であり、（ｂ）及び（ｃ）は、折曲溝の例を示す断面図である。
【図２】（ａ）は実施形態に係るカード型把手を折り曲げた状態を示す説明図であり、（ｂ）は変形例に係るカード型把手を折り曲げた状態を示す側面図である。
【図３】実施形態に係るカード型把手の使用状態を示す説明図である。
【図４】実施形態の変更例に係るカード型把手の全体構成を示す上面図である。
【考案を実施するための形態】
【００１６】
（カード型把手の構成）
以下に添付図面を参照して、本考案に係るカード型把手の実施形態を詳細に説明する。図１（ａ）は、実施形態に係るカード型把手の全体構成を示す上面図であり、（ｂ）及び（ｃ）は、折曲溝の例を示す断面図である。また、図２（ａ）は実施形態に係るカード型把手を折り曲げた状態を示す説明図であり、（ｂ）は変形例に係るカード型把手を折り曲げた状態を示す側面図である。
【００１７】
図１（ａ）及び図２（ａ）に示すように、本実施形態に係るカード型把手１は、矩形状のカード基材１０と、カード基材１０の表面又は裏面、或いは両面に平行に形成された一対の折曲溝３，３と、折曲溝３，３に沿ってカード基材１０を折り曲げることによりに形成される把持片１１と、把持片１１の両翼に形成される一対の折曲部１２，１２とから構成される。
【００１８】
カード基材１０は、例えば、紙やプラスチックなど、硬質で、引っ張り強度が高く、折り曲げを繰り返しても破損しないような材質で形成された、カード状の部材であり、例えば、ポリカーボネイトなどがより好ましい。なお、このカード基材１０のサイズ（面積や厚さ）や硬さは、クレジットカードや名刺サイズに近く、財布や名刺入れやカード入れに収まるようになっている。
【００１９】
折曲溝３，３は、カード基材１０の長手方向（縦方向）又はこれと直交する方向（幅方向）に沿って平行に、カード基材１０の表面又は裏面、或いは両面に形成された一対の溝であり、カード基材１０の両面、又は片面に形成することができ、表面、裏面に印刷された文字や図形、その他の情報の間に形成されている。本実施形態では、これら一対の折曲溝３，３は、その間隔が異なる複数組が形成されており、折り曲げる位置を適宜選択することにより中央部の把持片１１の幅を変化させることができる。
【００２０】
なお、本実施形態において、各折曲溝３，３は、カード基材１０の表裏に凹状の溝３ａ，３ｂが互いに重ならないように複数刻設され、これらが組み合わさって、断面が波状の折曲溝３が形成されている。具体的には、図１（ｂ）に示すように、表裏に形成された各凹状の溝３ａ，３ｂを、断面Ｖ字状の溝としてもよく、同図（ｃ）に示すように、凹状の溝３ａ，３ｂを半弧状又はサインカーブ形状としてもよい。同図（ｃ）に示すように、凹状の溝３ａ，３ｂを半弧状又はサインカーブ形状にした場合には、図２（ｂ）に示すように、折り目を滑らかなものとすることができる。
【００２１】
把持片１１は、一対の折曲溝３，３に沿ってカード基材１０を折り曲げることにより、カード基材１０の中央部に形成される部分である。この把持片１１には、また非接触通信によってデータ通信を行うためのＲＦタグ２が配置されており、この場合には、このカード基材１０を銀行カードやクレジットカード、その他のＩＣカードと兼用させることができ、従来のカードに、荷物運搬用把手という新しい付加価値を追加できる。そして、一対の折曲溝３，３に沿ってカード基材１０を折り曲げることにより、把持片１１の両翼に形成される一対の折曲部１２，１２が形成される。
【００２２】
（カード型把手の使用方法）
以上の構成を有するカード型把手の使用方法について説明する。図３は、実施形態に係るカード型把手の使用状態を示す説明図である。
【００２３】
図３に示すように、先ず、普段は、本来のカード類と同様の目的として、カード型把手１を財布５や名刺入れになどにしまって常時携帯されている。そして、重たい荷物などを運搬する場面となったときに、財布５や名刺入れからカード型把手１を取り出して折曲溝３，３を適宜選択して、中央部に把持片１１が形成され、その両翼に折曲部１２，１２が形成されるように、コの字形状に折り曲げる。
【００２４】
この把持片１１及び折曲部１２，１２の３面を、重量物を入れたビニール袋４の手紐４１部分にあてがって装着し、手に受け伝わる荷重面積を広くすることで、重量の一極集中を分散させて、掌に食い込まないようにする。なお、荷重が過大なときには、カード型把手１を複数枚重ねて使うことにより、カード自体の損傷も、掌への負担も軽減することができる。
【００２５】
その後、荷物の運搬が終了したら、カード基材１０に付いた折り曲げの癖を平らに延ばし、本来の機能目的の一枚のカードとして財布５や名刺入れに戻す。
【００２６】
（作用・効果）
このような本実施形態のカード型把手１によれば、使用時にはカードの折曲溝３，３に従い、把持片１１及び両翼の折曲部１２，１２が形成されるように、コの字形状に折り曲げて、重量物を入れたビニール袋４の手紐４１部分にあてがうことにより、掌に受け伝わる荷重面積を広くでき、重量の一極集中を分散させて、掌に食い込まないようにすることができる。
【００２７】
また、カード型把手１にＲＦタグ２を設けることにより、従来の銀行カードやクレジットカード、キャッシュカードなどのＩＣ機能を持たせることができ、カード型把手１を従来のカード類と兼用させることができる。これにより、例えば、新規発行カードや更新時カードに本来目的以外のサブ目的を邪魔にならない形で付与することができ、日常的に起こりうる困った状態に対する機能が予め用意されていることで、カードサービスの親切さをアピールすることができ、顧客の心に満足感を与えられる。
【００２８】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【００２９】
例えば、上述した実施形態では、折曲溝３，３が直線状であったが、例えば図４に示すように、複数組の折曲溝３，３のうち、最も内側に位置する折曲溝３１，３１を、カード基材１０内方に向けて凸又は凹となるように湾曲させてもよい。この場合には、カード基材を折り曲げたときに最も掌に当たる部分を滑らか形状とすることができ、掌に伝わる荷重をより分散させることができる。
【００３０】
さらには、図４に示すように、カード型把手１が磁気記録機能を有している場合には、折曲部１２，１２のうちいずれか一方の折曲部１２において、複数の折曲溝３，３の間に、磁気により情報を記録し保持する記録部２１を配置するようにしてもよい。この場合には、従来のカードに備えられた磁気記録機能を損なうことなく、荷物運搬用把手という新しい付加価値を追加でき、利便性、経済性、サービス性を豊かに向上させることができる。
【００３１】
なお、上述した実施形態では、カード型把手１がクレジットカード等の機能を有するものである場合を例に説明したが、このような機能を設けずに、純粋に携帯握り手専用カードとしてもよく、また、カード基材１０の表面に宣伝広告を印刷するなどして、ノベルティー商品として配布するようにしてもよい。
【符号の説明】
【００３２】
１…カード型把手
２…ＲＦタグ
３，３…折曲溝
３ａ，３ｂ…凹状溝
４…ビニール袋
５…財布
１０…カード基材
１１…把持片
１２，１２…折曲部
２１…記録部
【図１】
0003206793.tif 000003
【図２】
0003206793.tif 000004
【図３】
0003206793.tif 000005
【図４】
0003206793.tif 000006